(57)【要約】【課題】  駆動源となるモータ等を収容した外枠から臼形容器及び集糠容器を一体で容易に取り出すことができ、かつ、台所等狭い場所に置く場合であっても手狭になることのないスマートな形状の家庭用精米機を提供する。【解決手段】集糠容器１０の外周フランジ１０ａを支持するために立設した内側リブ２９には、集糠容器１０の脱着の際の位置決め又は外枠２ａとの周り止めのための、内側リブ２９を縦方向に一部切欠いて高さを低くして形成した嵌合凹部３０と、集糠容器１０を手で持ち上げる際の手掛けスペースとするための、内側リブ２９を縦方向に切欠いて内側リブ２９を無くした空間部３１とを、それぞれ複数設けた構造とし、一方、集糠容器１０の外周フランジ１０ａは、嵌合凹部３０と同形状の嵌合凸部３４を複数設けるとともに、外周フランジ１０ａから外側リブ２８までの間の短い水平状の手掛け３５を複数突設した構造とした。【選択図】図６
2008207148.tif 000002
【特許請求の範囲】
【請求項１】
除糠用多孔壁を備えた臼形容器と、これを包囲する集糠容器とを、ほぼ円筒状の外枠内に着脱自在に収容して、その開放上部を蓋で被覆するとともに、前記臼形容器の底部中央には攪拌用突片を備えた縦軸を立設し、前記外枠の下方には、前記縦軸を駆動させる駆動手段を内蔵してなる家庭用精米機において、
前記外枠の上面開口部は、前記蓋の外周フランジ縁を当接させる段部と、前記蓋を固定させるための蓋固定凹部が形成される外側リブと、前記集糠容器の外周フランジを支持するために立設した内側リブとを、該外枠から中心方向へ階段状に一体的に形成する一方、前記内側リブには、前記集糠容器の脱着の際の位置決め又は外枠との周り止めのための、該内側リブを縦方向に一部切欠いて内側リブの高さを低くして形成した嵌合凹部と、前記集糠容器を手で持ち上げる際の手掛けスペースとするための、内側リブを縦方向に切欠いて内側リブを無くした空間部とを、それぞれ複数設けた構造とし、
一方、前記外枠内に収容される集糠容器の外周フランジは、前記内側リブに形成した嵌合凹部と対応する位置に、該嵌合凹部と同形状の嵌合凸部を複数設けるとともに、前記内側リブに形成した空間部と対応する位置に、当該外周フランジから前記外側リブまでの間の短い水平状の手掛けを複数突設した構造としたことを特徴とする家庭用精米機。
【請求項２】
前記手掛け上面内方側には、凹形状の容器支持部を複数設けるとともに、該容器支持部と対応する位置の臼形容器の外周フランジ下面側には、周り止めのための下方突起部を複数設けてなる請求項１記載の家庭用精米機。
【請求項３】
前記蓋の外周フランジ縁の裏側には、前記外枠に形成された蓋固定凹部と嵌合する蓋固定鍵を複数設けてなる請求項１又は２記載の家庭用精米機。
【請求項４】
前記外枠と前記集糠容器と前記臼形容器とのそれぞれの脱着の際の位置合わせのために、前記空間部の下端面と、前記手掛けの外縁と、前記容器支持部とに、それぞれ合いマークを貼着してなる請求項１乃至３のいずれかに記載の家庭用精米機。
【発明の詳細な説明】
【技術分野】
【０００１】
本発明は、家庭用精米機に関する。
【背景技術】
【０００２】
近年、農家から直接玄米を購入するとともに、自宅にて精米を行った後、すぐに炊飯を開始することができるように、台所等狭い場所に置いても邪魔になることのない小型の家庭用精米機が普及してきている（例えば、特許文献１及び特許文献２参照）。
【０００３】
このような家庭用精米機において、特許文献１に開示されたものは、駆動源となるモータ等を収容した外枠から、臼形容器と集糠容器とを一体で取り出すことを確実に行うことができるよう、臼形容器と集糠容器との接合部を、雄ネジ及び雌ネジに形成したものであり、これにより、精米終了時に外枠から臼形容器を手で持って取り出す際、臼形容器と集糠容器とが螺合されているので、臼形容器から集糠容器が外れることなく一体で確実に取り出すことが可能となり、糠をこぼすおそれがないといった利点がある。
【０００４】
しかしながら、上記特許文献１の家庭用精米機にあっては、外枠から取り出した臼形容器と集糠容器とを螺脱する際、雄ネジと雌ネジとの螺合がきつく締結されていると、取り外しが困難になる問題があった。特に、集糠容器は、材質がポリプロピレンなどの樹脂で形成されているために、冬などの気温が低下する時期は硬化することがあり、この問題が顕著に現われることがあった。
【０００５】
一方、特許文献２に開示され家庭用精米機は、精米かごが有する環状のフランジの外周部の少なくとも一部を、糠容器の上端開口縁より突出させて、精米かごの着脱の際の手がけとして利用できるものであり、精米された白米及び糠の取り出しが容易で、精米かごを糠容器から容易に取り外せるという利点がある。
【０００６】
しかしながら、上記特許文献２の家庭用精米機にあっては、精米かごが有する環状のフランジの外周部の少なくとも一部を、糠容器の上端開口縁より突出させているから、蓋部材の大きさが前記張出フランジを隠すほどの大きな円形状になり、かつ、糠容器外周面には該糠容器から突設した把手部を備えているものであり、糠容器自体の体積が大きくなって台所等狭い場所に置く場合には手狭になるという問題があった。
【０００７】
【特許文献１】特開２０００−２６２９１０号公報
【特許文献２】特開２０００−２１０５７６号公報
【発明の開示】
【発明が解決しようとする課題】
【０００８】
本発明は上記問題点にかんがみ、駆動源となるモータ等を収容した外枠から臼形容器及び集糠容器を一体で容易に取り出すことができ、かつ、台所等狭い場所に置く場合であっても手狭になることのないスマートな形状の家庭用精米機を提供することを技術的課題とする。
【課題を解決するための手段】
【０００９】
上記課題を解決するため請求項１記載の発明は、除糠用多孔壁を備えた臼形容器と、これを包囲する集糠容器とを、ほぼ円筒状の外枠内に着脱自在に収容して、その開放上部を蓋で被覆するとともに、前記臼形容器の底部中央には攪拌用突片を備えた縦軸を立設し、前記外枠の下方には、前記縦軸を駆動させる駆動手段を内蔵してなる家庭用精米機において、前記外枠の上面開口部は、前記蓋の外周フランジ縁を当接させる段部と、前記蓋を固定させるための蓋固定凹部が形成される外側リブと、前記集糠容器の外周フランジを支持するために立設した内側リブとを、該外枠から中心方向へ階段状に一体的に形成する一方、前記内側リブには、前記集糠容器の脱着の際の位置決め又は外枠との周り止めのための、該内側リブを縦方向に一部切欠いて内側リブの高さを低くして形成した嵌合凹部と、前記集糠容器を手で持ち上げる際の手掛けスペースとするための、内側リブを縦方向に切欠いて内側リブを無くした空間部とを、それぞれ複数設けた構造とし、一方、前記外枠内に収容される集糠容器の外周フランジは、前記内側リブに形成した嵌合凹部と対応する位置に、該嵌合凹部と同形状の嵌合凸部を複数設けるとともに、前記内側リブに形成した空間部と対応する位置に、当該外周フランジから前記外側リブまでの間の短い水平状の手掛けを複数突設した構造とする、という技術的手段を講じた。
【００１０】
また、請求項２記載の発明は、前記手掛け上面内方側には、凹形状の容器支持部を複数設けるとともに、該容器支持部と対応する位置の臼形容器の外周フランジ下面側には、周り止めのための下方突起部を複数設けたことを特徴とする。
【００１１】
さらに、請求項３記載の発明は、前記蓋の外周フランジ縁の裏側には、前記外枠に形成された蓋固定凹部と嵌合する蓋固定鍵を複数設けたことを特徴とする。
【００１２】
そして、請求項４記載の発明は、前記外枠と前記集糠容器と前記臼形容器とのそれぞれの脱着の際の位置合わせのために、前記空間部の下端面と、前記手掛けの外縁と、前記容器支持部とに、それぞれ合いマークを貼着したことを特徴とする。
【発明の効果】
【００１３】
あらかじめ設定された駆動時間が経過し、精米が終了すると、家庭用精米機から精米及び玄米から削り取られた糠を取り出すことになるが、請求項１記載の発明によれば、精米が終了して外枠から蓋を離脱させると、外枠側面に集糠容器の手掛けスペースとなる空間部が露出することになる。該空間部は、内側リブを縦方向に切欠き、内側リブが無くなっている箇所であるから、手指が集糠容器の外周フランジに容易に挿入可能であり、また、外周フランジには水平状に短く突出した手掛けが設けられているから、短い手掛けであっても指掛かりが確実となり、外枠からの集糠容器及び臼形容器の取り外しを容易に行い、精米及び糠を持ち運ぶことができる。このとき、手掛けが蓋から張り出すことがなく、また、糠容器外周面に把手部を突設する必要がないため、台所等狭い場所に置く場合であっても手狭になることのないスマートな形状の家庭用精米機を提供することが可能となる。
【００１４】
請求項２記載の発明によれば、臼形容器と集糠容器とは、臼形容器の外周フランジ下面の下方突起部が集糠容器の手掛け上面内方側の容器支持部に載置されているのみであるから、臼形容器と集糠容器とは容易に分離可能であり、食品用に糠を利用したい場合には集糠容器から糠を取り出すこともできるし、使用後の水洗いなどのメンテナンスも簡単に行うことができる。
【００１５】
請求項３記載の発明によれば、前記蓋の外周フランジ縁の裏側には、前記外枠に形成された蓋固定凹部と嵌合する蓋固定鍵を複数設けた構成であるから、外枠に対して蓋を確実に閉めることができ、振動等によって蓋が外れるおそれはなく、また、外枠には蓋固定鍵と蓋固定凹部との嵌合により作動する安全スイッチ等を設けることも可能となる。
【００１６】
請求項４記載の発明によれば、外枠と集糠容器と臼形容器とのそれぞれの脱着の際の位置合わせのために、前記空間部の下端面、前記手掛けの外縁及び前記容器支持部にそれぞれ合いマークを貼着しているから、初めて家庭用精米機を使用する作業者であっても、外枠に集糠容器を収容し、さらに、集糠容器に臼形容器を収容する際の位置合わせや、組み間違いを防ぎ、円滑に使用することができるようになった。
【発明を実施するための最良の形態】
【００１７】
以下、本発明の実施の形態にかかる家庭用精米機について図面を参照しながら説明する。
【００１８】
図１は家庭用精米機の概略を示す斜視図であり、図２は図１のＡ−Ａ’線で破断したときの内部構造を示す縦断面図であり、図３は図１のＢ−Ｂ’線で破断したときの内部構造を示す縦断面図である。
【００１９】
図１乃至図３において、符号１は家庭用精米機であり、符号２は駆動源となるモータ３等を収容する基台であり、該基台２の上部には基台２と一体的な外枠２ａが形成され、該外枠２ａの内側に臼形容器４等を取り出し可能に収容する内枠２ｂを備えている。前記臼形容器４は、蓋５の取り外しで上部を開口することが可能なホッパー状に形成してあり、この臼形容器４の少なくとも下部周壁を除糠用多孔壁６に形成している。そして、この除糠用多孔壁６の下部周壁部は、その内径が前記臼形容器４上端縁の内径よりも小さい円筒部７に形成する。符号８は無孔状の底部であり、符号９は臼形容器４を集糠容器１０に固定する固定手段である。符号２３は集糠容器１０の突起部であり、該突起部２３の外周に円筒部７の固定手段９を嵌合させて無孔状の底部を固定するのである。
【００２０】
前記臼形容器４の外周は、円筒状の集糠容器１０により包囲する。この時、除糠用多孔壁６の下部周壁が、径の小さい円筒部７に形成してあるから、臼形容器４と集糠容器１０との間隙に除糠室１１が形成される。そして、臼形容器４は突起部２３と集糠容器１０上端の外周フランジ１０ａにより内枠２ａに固定される。臼形容器４の底部８中央には、縦軸１２を回転自在に軸架し、該縦軸１２には、複数個の攪拌用突片１３を放射状に備えた精米用縦軸２４を軸装し、縦軸１２の下部にモータ３からの回転力を切り離し可能な継手１４の一方側を接続する。
【００２１】
次に、基台２に収容された駆動源等の構成を説明する。基台２には回転数を変更可能なモータ３を収容するとともに、縦軸１２の直下に軸受１５により回転自在な縦軸１６を立設する。そして、モータ３のモータ軸２７にはモータプーリ１７を軸装する一方、縦軸１６の上部には中継プーリ１８を軸装し、該中継プーリ１８の上部には前記継手１４の他方側継手２５を設ける。モータプーリ１７と中継プーリ１８との間には、ベルト１９を巻装し、モータ３の回転力が縦軸へ、例えば、減速比１対３で伝達するように形成する。符号２０は縦軸１６の回転数を検出する回転センサであり、符号２１は家庭用精米機の制御装置であり、符号２２は操作盤である。
【００２２】
図４は図２の符号Ｃで囲んだ部分、すなわち、外枠２ａ、集糠容器１０、臼形容器４および蓋５の外周縁の構造を示す要部拡大断面図であり、図５は図３の符号Ｄで囲んだ部分、すなわち、外枠２ａ、集糠容器１０、臼形容器４および蓋５の外周縁の構造を示す要部拡大断面図であり、図６は外枠、集糠容器、臼形容器及び蓋の脱着状態を示す概略斜視図である。
【００２３】
図４乃至図６に示すように、外枠２ａの上面開口部は、蓋５の外周フランジ縁５ａを当接させる段部２７と、蓋５裏面の蓋固定鍵を嵌合させるために蓋固定凹部３３…が形成された外側リブ２８と、集糠容器１０の外周フランジ１０ａを支持するために立設した内側リブ２９とを、該外枠２ａから径が小さくなる方向（内枠２ｂの方向）へ一体的に形成する。そして、前記内側リブ２９には、前記集糠容器１０の脱着の際の位置決め又は外枠２ａとの周り止めのために、内側リブ２９を縦方向に一部切欠いてリブの高さを低くして形成した嵌合凹部３０…（例えば、側面視で台形を逆さにした形状）と、前記集糠容器１０の外周フランジ１０ａを手で持ち上げる際の手掛けスペースとするために、内側リブ２９を縦方向に切欠いてリブを無くした空間部３１…（例えば、側面視で台形を逆さにした形状）とを、それぞれ複数（例えば、一対）設けた構造となっている（図６参照）。符号３２は、蓋５の外周フランジ縁５と段部２７との間に嵌挿したパッキンである。
【００２４】
一方、集糠容器１０の上面開口部には、外周フランジ１０ａが設けられ、該外周フランジ１０ａには、前記外枠２ａの内側リブ２９に形成した嵌合凹部３０…と対応する位置で、該嵌合凹部３０…と同形状（例えば、側面視で台形を逆さにした形状）の嵌合凸部３４…が複数（例えば、一対）設けられている。さらに、外周フランジ１０ａには、前記外枠２ａの内側リブ２９に形成した空間部３１…と対応する位置で、外周フランジ１０ａから外側リブ２８までの間で水平状に短く突出した手掛け３５…が複数（例えば、一対）延設されている。そして、該手掛け３５…上面内方側には、後述の臼形容器４の外周フランジ４ａの下方突起部を支持するための容器支持部３６…が複数（例えば、一対）凹形状に設けられている。
【００２５】
さらに、臼形容器４の上面開口部は、外周フランジ４ａが設けられ（図６参照）、該外周フランジ４ａには、前記容器支持部３６…と対応する位置で、該外周フランジ４ａ下面側に周り止めのための下方突起部３７…が複数（例えば、一対）設けられている。
【００２６】
そして、蓋５は樹脂性の外周フランジ縁５ａ、蓋５の中央に大きく窪ませて形成した取っ手５ｂが形成され（図１参照）、外周フランジ縁５ａの裏側には、前記外枠２ａに形成された蓋固定凹部３３…と嵌合する蓋固定鍵３８が複数（例えば、２対）設けられている（図７参照）。外枠２ａには、この蓋固定鍵３８と蓋固定凹部３３との嵌合により作動する安全スイッチ等を設けるとよく、蓋５が臼形容器４及び集糠容器５の開口面に被せられ、かつ、蓋５が完全に外枠２ａに固定された状態でなければ、攪拌用突片１３を回転させるモータ３が起動されないよう、制御装置２１を設計するとよい。
【００２７】
以下、上記構成における作用を説明する。
【００２８】
まず、図６のように嵌合凸部３４…が嵌合凹部３０…に嵌合するように外枠２ａに集糠容器１０を収容し、さらに、下方突起部３７…が容器支持部３６…に嵌合するように集糠容器１０に臼形容器４を収容し、次に、精米用縦軸２４を縦軸１２に嵌合しておく（図２、図３参照）。そして、所望の量の玄米を臼形容器４に投入し、蓋５を被せ、かつ、蓋５が完全に外枠２ａに固定されるよう、取っ手５ｂを持って蓋５を回転させ、蓋固定鍵３８と蓋固定凹部３３とを嵌合させた段階で、安全スイッチがオンとなり、モータ３が起動できる状態となる。
【００２９】
次に、操作盤２２の精米量スイッチと白度スイッチを所望の値に設定し、運転スイッチ（いずれも図示せず）をオンして精米を開始すると、あらかじめ設定したモータ回転数、モータ駆動時間が読み出されてモータ３が駆動されることになる。
【００３０】
設定された駆動時間が経過し、精米が終了すると、上述とは反対の手順で精米及び玄米から削り取られた糠を取り出すことになる。すなわち、取っ手５ｂを持って蓋５を逆回転させ、外枠２ａから蓋５を離脱させると、外枠２ａ側面には、前記集糠容器１０の手掛けスペースとなる空間部３１…が露出する。該空間部３１は、外枠２ａの内側リブ２９を縦方向に切欠き、内側リブ２９が無くなっている箇所であるから、手指が集糠容器１０の外周フランジ１０ａに容易に挿入可能となる。そして、外周フランジ１０ａからは、外側リブ２８までの間で水平状に短く突出した手掛け３５…が設けられているが、空間部３１を設けたことにより、短い手掛け３５…であっても指掛かりが確実となり、一対の手掛け３５…に両手を掛けて外枠２ａからの集糠容器１０及び臼形容器４の取り外しを行い、精米及び糠を持ち運ぶことができるのである。
【００３１】
また、臼形容器４と集糠容器１０とは、臼形容器４の外周フランジ４ａ下面の下方突起部３７…が集糠容器１０の手掛け３５…上面内方側の容器支持部３６…に載置されているのみであって、臼形容器４と集糠容器１０とは容易に分離可能であり、食品用に糠を利用したい場合には集糠容器１０から糠を取り出すこともできるし、使用後の水洗いなどのメンテナンスも簡単に行うことができる。
【００３２】
なお、図８に示すように、外枠２ａと集糠容器１０と臼形容器４とのそれぞれの脱着の際の位置合わせのために、前記空間部３１…の下端面３１ａに合いマーク１００を、前記手掛け３５…の外縁３５ａに合いマーク１０１を、前記容器支持部３６…に合いマーク１０２をそれぞれ貼着するとよい。これにより、初めて家庭用精米機１を使用する作業者であっても、外枠２ａに集糠容器１０を収容し、さらに、集糠容器１０に臼形容器４を収容する際の位置合わせや、組み間違いを防ぎ、円滑に使用することができる。
【００３３】
以上のように本実施形態によれば、外枠２ａの内側リブ２９に、集糠容器１０の手掛けスペースとなる空間部３１…を形成する一方、集糠容器１０の外周フランジ１０ａには、該空間部３１…と対応する位置で、外側リブ２８までの間の短い水平状の手掛け３５…を複数突設したので、手指が集糠容器１０の外周フランジ１０ａに容易に挿入可能となって手掛け３５…への指掛かりがよくなり、駆動源となるモータ等を収容した外枠から臼形容器及び集糠容器を一体で容易に取り出すことができる。また、特許文献２とは異なり、手掛け３５…が蓋５から張り出すことや、糠容器外周面に把手部を突設する必要がないため、台所等狭い場所に置く場合であっても手狭になることのないスマートな形状の家庭用精米機を提供することができる。
【図面の簡単な説明】
【００３４】
【図１】家庭用精米機の概略を示す斜視図である。
【図２】図１のＡ−Ａ’線で破断したときの内部構造を示す縦断面図である。
【図３】図１のＢ−Ｂ’線で破断したときの内部構造を示す縦断面図である。
【図４】図２の符号Ｃで囲んだ部分の要部拡大断面図である。
【図５】図３の符号Ｄで囲んだ部分の要部拡大断面図である。
【図６】外枠、集糠容器、臼形容器及び蓋の脱着状態を示す概略斜視図である。
【図７】蓋の裏面構造を示すための斜視図である。
【図８】外枠と集糠容器との脱着の際の位置合わせのために合いマークを貼着した実施例図である。
【符号の説明】
【００３５】
１  家庭用精米機
２  基台
３  モータ
４  臼形容器
５  蓋
６  除糠用多孔壁
７  円筒部
８  底部
９  固定手段
１０  集糠容器
１１  除糠室
１２  縦軸
１３  攪拌用突片
１４  継手
１５  軸受
１６  縦軸
１７  モータプーリ
１８  中継プーリ
１９  ベルト
２０  回転センサ
２１  制御装置
２２  操作盤
２３  突起部
２４  精米用縦軸
２５  他方側継手
２６  モータ軸
２７  段部
２８  外側リブ
２９  内側リブ
３０  嵌合凹部
３１  空間部
３２  パッキン
３３  蓋固定凹部
３４  嵌合凸部
３５  手掛け
３６  容器支持部
３７  下方突起部
３８  蓋固定鍵
１００  合いマーク
１０１  合いマーク
１０２  合いマーク
【図１】
2008207148.tif 000003
【図２】
2008207148.tif 000004
【図３】
2008207148.tif 000005
【図４】
2008207148.tif 000006
【図５】
2008207148.tif 000007
【図６】
2008207148.tif 000008
【図７】
2008207148.tif 000009
【図８】
2008207148.tif 000010